(57)【特許請求の範囲】
【請求項１】
移動局であって、
通信中の無線基地局との間の無線リンクの検出に失敗した後、該通信中の無線基地局によって管理されている接続元のセルが含まれている複数のセルのうち、所定の通信品質を満足するセルを、再接続先のセルとして選択するように構成されているセル選択部と、
前記セル選択部によって選択された前記再接続先のセルが、前記接続元のセルと同一の無線アクセス方式を用いるセルである場合、該再接続先のセルを管理している再接続候補の無線基地局に対して再接続要求信号を送信するように構成されている送信部とを具備し、
前記再接続候補の無線基地局から、前記送信部から送信された前記再接続要求信号に対する応答信号として、再接続を拒否する旨が通知された場合、或いは、前記再接続先のセルが前記接続元のセルと異なる無線アクセス方式を用いるセルである場合、該送信部は、該再接続候補の無線基地局を介して、該再接続候補の無線基地局を管理している移動交換局に対して、前記移動局に関する情報を通知することによって、該移動交換局に、該移動局と該再接続候補の無線基地局との間の通信を開始させるためのＮＡＳの再発信手順を開始させることを特徴とする移動局。
【請求項２】
前記移動局に関する情報は、再発信手順であることを示す識別子を含むことを特徴とする請求項１に記載の移動局。
【請求項３】
前記送信部は、前記移動交換局に対して、前記移動局に関する情報として、サービス要求信号又は移動管理エリア更新信号の少なくても一方を送信するように構成されていることを特徴とする請求項１又は２に記載の移動局。
【請求項４】
前記セル選択部は、前記接続元のセルと同一の無線アクセス方式及び同一の周波数を用いるセル、該接続元のセルと同一の無線アクセス方式及び異なる周波数を用いるセル、該接続元のセルと異なる無線アクセス方式を用いるセルの順に、前記再接続先のセルとして選択するように構成されていることを特徴とする請求項１乃至３のいずれか一項に記載の移動局。
【請求項５】
通信中の無線基地局との間の無線リンクの検出に失敗した後、該通信中の無線基地局によって管理されている接続元のセルが含まれている複数のセルのうち、所定の通信品質を満足するセルを、再接続先のセルとして選択する工程Ａと、
前記工程Ａにおいて選択された前記再接続先のセルが、前記接続元のセルと同一の無線アクセス方式を用いるセルである場合、該再接続先のセルを管理している再接続候補の無線基地局に対して再接続要求信号を送信する工程Ｂと、
前記再接続候補の無線基地局から、前記工程Ｂにおいて送信された前記再接続要求信号に対する応答信号として、再接続を拒否する旨が通知された場合、或いは、該再接続先のセルが前記接続元のセルと異なる無線アクセス方式を用いるセルである場合、該再接続候補の無線基地局を介して、該再接続候補の無線基地局を管理している移動交換局に対して、移動局に関する情報を通知することによって、該移動交換局に、該移動局と該再接続候補の無線基地局との間の通信を開始させるためのＮＡＳの再発信手順を開始させる工程Ｃとを有することを特徴とする移動通信方法。
【発明の詳細な説明】
【技術分野】
【０００１】
本発明は、無線基地局を介して移動局と移動交換局との間で通信を行う移動通信方法、移動局及び移動交換局に関する。
【背景技術】
【０００２】
「Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ−ＵＴＲＡＮ）」として検討されている移動通信システムにおいて、移動局は、所定セルとの間で通信を行っている場合に、当該所定セルを管理する無線基地局との間の無線リンクの検出に失敗（Ｒａｄｉｏ  Ｌｉｎｋ  Ｆａｉｌｕｒｅ）した後、所定期間内に、所要品質を満足するセルを再選択（Ｃｅｌｌ  Ｒｅｓｅｌｅｃｔｉｏｎ）した場合は、再選択したセルを管理する無線基地局に対して再接続要求信号を送信するように構成されている（非特許文献１参照）。
【非特許文献１】３ＧＰＰ  ３６.３００  Ｖ８.３.０  Ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ；  Ｅｖｏｌｖｅｄ  ｕｎｉｖｅｒｓａｌ  ｔｅｒｒｅｓｔｒｉａｌ  ｒａｄｉｏ  ａｃｃｅｓｓ  （Ｅ-ＵＴＲＡ）  ａｎｄ  Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ  （Ｅ-ＵＴＲＡＮ）；  Ｏｖｅｒａｌｌ  ｄｅｓｃｒｉｐｔｉｏｎ；  Ｓｔａｇｅ  ２、１０.１.６
【発明の開示】
【発明が解決しようとする課題】
【０００３】
しかしながら、上述の移動通信システムでは、以下のような問題点があった。
【０００４】
上述のように、移動局によって送信された再接続要求信号を受信した無線基地局は、当該移動局に係る設定情報（ＵＥ  Ｃｏｎｔｅｘｔ）を保持していれば、当該再接続要求信号に応じて、当該移動局による通信を継続するが、当該移動局に係る設定情報（ＵＥ  Ｃｏｎｔｅｘｔ）を保持していない場合は、当該再接続要求信号を拒否するように構成されている。
【０００５】
また、上述の「Ｒａｄｉｏ  Ｌｉｎｋ  Ｆａｉｌｕｒｅ」が発生した後、一定期間内に再選択されたセルが、上述の所定セルと異なる無線アクセス方式を用いるセル（Ｉｎｔｅｒ-ＲＡＴセル）のみであると判断された場合は、「Ｉｎｔｅｒ-ＲＡＴセル」では、当該移動局に係る設定情報（ＵＥ  Ｃｏｎｔｅｘｔ）が保持されていないので、当該移動局は、当該移動局に係る設定情報（ＵＥ  Ｃｏｎｔｅｘｔ）を削除するように構成されている。
【０００６】
したがって、上述のように、移動局が、当該移動局に係る設定情報（ＵＥ  Ｃｏｎｔｅｘｔ）を保持していない無線基地局に対して再接続要求信号を送信した場合、かかる無線基地局によって当該再接続要求信号が拒否されるため、当該移動局による通信用の無線コネクションが切断され、ユーザ自身が手動によって再発信手順を行う必要が生じ、サービス性を低下させるという問題があった。
【０００７】
また、上述の「Ｒａｄｉｏ  Ｌｉｎｋ  Ｆａｉｌｕｒｅ」が発生した後、一定期間内に再選択されたセルが「Ｉｎｔｅｒ-ＲＡＴセル」のみである場合にも、同様に、ユーザ自身が手動によって再発信手順を行う必要が生じ、サービス性を低下させるという問題があった。
【０００８】
そこで、本発明は、上述の課題に鑑みてなされたものであり、移動局が所定セルとの間で通信を行っている場合に、「Ｒａｄｉｏ  Ｌｉｎｋ  Ｆａｉｌｕｒｅ」が検出された後、再選択されたセルが当該移動局に係る設定情報（ＵＥ  Ｃｏｎｔｅｘｔ）を保持していない場合においても、ユーザ自身が手動によって再発信手順を行うことなく、当該移動局が自動で再発信手順を行うことを可能とする移動局、移動交換局及び移動通信方法を提供することを目的とする。
【課題を解決するための手段】
【０００９】
本発明の第１の特徴は、無線基地局を介して移動交換局との間で通信を行う移動局であって、第１セルを管理する第１無線基地局との間の無線リンクの検出に失敗した後、所定期間、セル再選択処理を行うように構成されているセル選択部と、前記セル選択部によって再選択された第２セルが前記第１セルと同一の無線アクセス方式を用いるセルであると判断された場合、該第２セルを管理する第２無線基地局に対して再接続要求信号を送信するように構成されている再接続要求信号送信部と、前記第２無線基地局から受信した前記再接続要求信号に対する応答信号が再接続を拒否していると判断された場合、或いは、前記第２セルが前記第１セルと異なる無線アクセス方式を用いるセルであると判断された場合、前記第２無線基地局を管理する移動交換局に対する再発信手順を開始するように構成されている再発信手順開始部とを具備することを要旨とする。
【００１０】
本発明の第１の特徴において、前記再発信手順開始部は、前記移動交換局に対して、再発信手順であることを示す識別子を含む信号を送信することによって、該移動交換局に対する再発信手順を開始するように構成されていてもよい。
【００１１】
本発明の第１の特徴において、前記再発信手順開始部は、前記移動交換局に対して、サービス要求信号又は移動管理エリア更新信号の少なくても一方を送信することによって、該移動交換局に対する再発信手順を開始するように構成されていてもよい。
【００１２】
本発明の第１の特徴において、前記セル選択部は、前記第１セルと同一の無線アクセス方式及び同一の周波数を用いるセル、該第１セルと同一の無線アクセス方式及び異なる周波数を用いるセル、該第１セルと異なる無線アクセス方式を用いるセルの順に、セル再選択処理を実施するように構成されていてもよい。
【００１３】
本発明の第２の特徴は、無線基地局を介して移動局との間で通信を行う移動交換局であって、前記移動局から第１信号を受信した際に、該第１信号が再発信手順用信号であるか否かについて判断するように構成されている再発信信号判断部と、前記再発信信号判断部において前記第１信号が前記再発信手順用信号であると判断された場合は、前記移動局に係る旧設定情報を削除し、該移動局に係る新設定情報を新たに設定するように構成されている設定情報更新部とを具備することを要旨とする。
【００１４】
本発明の第２の特徴において、前記再発信信号判断部は、前記第１信号に含まれる情報要素、又は、前記移動局の通信状態の少なくとも一方に基づいて、該第１信号が再発信手順用信号であるか否かについて判断するように構成されていてもよい。
【００１５】
本発明の第２の特徴において、前記設定情報更新部は、前記旧設定情報が前記移動交換局とは別の装置で管理されている場合、該別の装置内の該旧設定情報を削除し、前記移動交換局内に前記新設定情報を設定するように構成されていてもよい。
【００１６】
本発明の第３の特徴は、無線基地局を介して移動局と移動交換局との間で通信を行う移動通信方法であって、移動局が、第１セルを管理する第１無線基地局との間の無線リンクの検出に失敗した後、所定期間、セル再選択処理を行う工程と、前記移動局が、再選択した第２セルが前記第１セルと同一の無線アクセス方式を用いるセルであると判断した場合、該第２セルを管理する第２無線基地局に対して再接続要求信号を送信する工程と、前記移動局が、前記第２無線基地局から受信した前記再接続要求信号に対する応答信号が再接続を拒否していると判断した場合、或いは、前記第２セルが前記第１セルと異なる無線アクセス方式を用いるセルであると判断した場合、前記第２無線基地局を管理する移動交換局に対する再発信手順を開始する工程と、前記移動交換局が、前記移動局から第１信号を受信した際に、該第１信号が再発信手順用信号であるか否かについて判断する工程と、前記移動交換局が、前記第１信号が前記再発信手順用信号であると判断した場合は、前記移動局に係る旧設定情報を削除し、該移動局に係る新設定情報を新たに設定する工程とを有することを要旨とする。
【発明の効果】
【００１７】
以上説明したように、本発明によれば、移動局が所定セルとの間で通信を行っている場合に、「Ｒａｄｉｏ  Ｌｉｎｋ  Ｆａｉｌｕｒｅ」が検出された後、再選択されたセルが当該移動局に係る設定情報（ＵＥ  Ｃｏｎｔｅｘｔ）を保持していない場合においても、ユーザ自身が手動によって再発信手順を行うことなく、当該移動局が自動で再発信手順を行うことを可能とする移動局、移動交換局及び移動通信方法を提供することができる。
【発明を実施するための最良の形態】
【００１８】
（本発明の第１の実施形態に係る移動通信システムの構成）
図１乃至図４を参照して、本発明の第１の実施形態に係る移動通信システムの構成について説明する。なお、本実施形態を説明するための全図において、同一機能を有するものに対しては同一符号を付与し、繰り返しの説明は省略する。
【００１９】
図１に示すように、本実施形態に係る移動通信システムは、移動局１００と、複数の無線基地局２００Ａ乃至２００Ｆと、移動交換局３００Ａ及び３００Ｂとを具備している。
【００２０】
ここで、移動交換局３００Ａは、無線基地局２００Ａによって管理されているエリア（セル又はセクタ）１Ａと、無線基地局２００Ｂによって管理されているエリア（セル又はセクタ）１Ｂと、無線基地局２００Ｃによって管理されているエリア（セル又はセクタ）１Ｃとによって形成される移動管理エリア１を管理するように構成されている。
【００２１】
また、移動交換局３００Ｂは、無線基地局２００Ｄによって管理されているエリア（セル又はセクタ）２Ａと、無線基地局２００Ｅによって管理されているエリア（セル又はセクタ）２Ｂと、無線基地局２００Ｆによって管理されているエリア（セル又はセクタ）２Ｃとによって形成される移動管理エリア２を管理するように構成されている。
【００２２】
移動交換局３００Ａは、無線基地局２００Ａ乃至２００Ｃの何れかを介して、移動管理エリア１（第２移動管理エリア）に在圏する各移動局１００との間で通信を行うように構成されている。
【００２３】
一方、移動交換局３００Ｂは、無線基地局２００Ｄ乃至２００Ｆの何れかを介して、移動管理エリア２（第１移動管理エリア）に在圏する各移動局１００との間で通信を行うように構成されている。
【００２４】
移動交換局３００Ａの構成及び移動交換局３００Ｂの構成は、基本的に同一であるため、以下、移動交換局３００として、両者の構成について説明する。
【００２５】
図２に示すように、移動交換局３００は、信号送受信部３０２と、当該信号送受信部３０２と接続されている再発信信号判断部３０４と、当該再発信信号判断部３０４と接続されている設定情報更新部３０６とを備える。
【００２６】
信号送受信部３０２は、移動局及び無線基地局との間で信号を送受信するように構成されている。
【００２７】
信号送受信部３０２は、例えば、移動局から、当該移動局の移動管理エリアが変わったことを報告するための移動管理エリア更新信号（Ｔｒａｃｋｉｎｇ  Ａｒｅａ  Ｕｐｄａｔｅ）やサービス要求信号（Ｓｅｒｖｉｃｅ  Ｒｅｑｕｅｓｔ）を受信するように構成されている。
【００２８】
再発信信号判断部３０４は、移動局から第１信号を受信した際に、かかる第１信号が再発信手順用信号であるか否かについて判断するように構成されている。
【００２９】
ここで、移動局から受信した第１信号とは、当該移動局によってＮＡＳ信号として送信された信号、或いは、無線基地局によって当該移動局から受信した信号を当該移動交換局宛ての信号として再構成された信号であってもよい。
【００３０】
再発信信号判断部３０４は、受信した第１信号に含まれる情報要素、又は、当該移動局の通信状態の少なくとも一方に基づいて、受信した第１信号が再発信手順用信号であるか否かについて判断するように構成されていてもよい。
【００３１】
再発信信号判断部３０４は、かかる情報要素として、例えば、発信理由（Ｅｓｔａｂｌｉｓｈｍｅｎｔ  ｃａｕｓｅ）又は再発信識別子の少なくとも一方を使用するように構成されていてもよい。
【００３２】
一方、再発信信号判断部３０４は、図３のように、「Ｐｅｒｍａｎｅｎｔ  ＩＤ」と「Ｔｅｒｍｉｎａｌ  ＩＤ」と「移動局状態」と「提供サービス」とを関連付ける移動局情報を管理し、移動局の通信状態として、当該移動局の「移動局状態」が「通信中」である場合は、受信した第１信号が再発信手順用信号であると判断し、当該移動局の「移動局状態」が「待ち受け中」である場合は、受信した第１信号が新規発信用信号であると判断してもよい。
【００３３】
設定情報更新部３０６は、再発信信号判断部３０４において第１信号が再発信手順用信号であると判断された場合は、当該移動局に係る旧設定情報を削除し、当該移動局に係る新設定情報を新たに設定するように構成されている。ただし、旧設定情報と新設定情報が同じ場合は、旧設定情報をそのまま使用しても良い。
【００３４】
例えば、当該移動局に係る旧設定情報（ＵＥ  Ｃｏｎｔｅｘｔ）が、移動交換局３００Ａで管理されおり、当該移動局が、移動交換局３００Ｂの管理エリアに移動し、移動管理エリア更新信号を移動交換局３００Ｂへ送信した場合は、移動交換局３００Ｂは、移動交換局Ａとの間で通信を行い、移動交換局Ａ（別の装置）内の当該移動局に係る旧設定情報（ＵＥ  Ｃｏｎｔｅｘｔ）を削除し、移動交換局Ｂ内に当該移動局に係る新設定情報（ＵＥ  Ｃｏｎｔｅｘｔ）を設定するように構成されていてもよい。
【００３５】
図４に示すように、移動局１００は、送受信部１０２と、当該送受信部１０２と接続されている無線リンク監視部１０４と、当該無線リンク監視部１０４と接続されているセル選択部１０６と、当該セル選択部１０６と接続されている無線アクセス方式判断部１０８と、当該無線アクセス方式判断部１０８と接続されている信号生成部１１０と、前記送受信部１０２と接続されている受信信号判断部１１２と、当該受信信号判断部１１２と接続されている再発信通知部１１４と、当該再発信通知部１１４と接続されている再発信手順開始部１１６とを備える。
【００３６】
送受信部１０２は、各セルの同期信号（Ｓｙｎｃｈｒｏｎｉｚａｔｉｏｎ  Ｓｉｇｎａｌ）や、参照信号（Ｒｅｆｅｒｅｎｃｅ  Ｓｉｇｎａｌ）や、報知情報（Ｓｙｓｔｅｍ  Ｉｎｆｏｒｍａｔｉｏｎ）や、無線基地局からの信号や、移動交換局からの信号等を受信したり、無線基地局宛ての信号や、移動交換局宛ての信号を送信したりするように構成されている。
【００３７】
例えば、無線基地局からの信号や無線基地局宛ての信号は、ＲＲＣ（Ｒａｄｉｏ  Ｒｅｓｏｕｒｃｅ  Ｃｏｎｔｒｏｌ）信号であり、移動交換局からの信号や移動交換局宛ての信号は、ＮＡＳ信号であってもよい
なお、送受信部１０２は、信号生成部１１０によって生成された信号を送信するように構成されている。
【００３８】
無線リンク監視部１０４は、第１セルを管理する第１無線基地局との間で通信中の無線リンクの監視を行うように構成されている。
【００３９】
セル選択部１０６は、第１セルを管理する第１無線基地局との間の無線リンクの検出に失敗した後、所定期間、セル再選択処理を行うように構成されている。
【００４０】
ここで、所定期間は、移動局１００が通信状態（ＲＲＣ_Ｃｏｎｎｅｃｔｅｄ状態）から待ち受け状態（ＲＲＣ_Ｉｄｌｅ状態）に遷移するまでにセル選択処理を行う時間として設定されていてもよい。
【００４１】
例えば、セル選択部１０６は、第１セルと同一の無線アクセス方式及び同一の周波数を用いるセル、該第１セルと同一の無線アクセス方式及び異なる周波数を用いるセル、該第１セルと異なる無線アクセス方式を用いるセル（Ｉｎｔｅｒ-ＲＡＴセル）の順に、セル再選択処理を実施するように構成されていてもよい。
【００４２】
無線アクセス方式判断部１０８は、セル選択部１０６によって再選択（Ｃｅｌｌ  Ｒｅｓｅｌｅｃｔｉｏｎ）された第２セルが第１セルと同一の無線アクセス方式を用いるセルであるか否かについて判断するように構成されている。
【００４３】
例えば、無線アクセス方式判断部１０８は、第１セル及び第２セルで用いられる無線アクセス方式が、「ＧＳＭ方式」、「ＵＭＴＳ方式」、「ＬＴＥ（ＦＤＤ）方式」、「ＬＴＥ（ＴＤＤ）方式」の何れであるかについて判断するように構成されていてもよい。
【００４４】
信号生成部１１０は、無線基地局宛ての信号や対移動交換局宛ての信号を生成するように構成されている。
【００４５】
例えば、無線アクセス方式判断部１０８において、セル選択部１０６によって再選択された第２セルが第１セルと同一の無線アクセス方式を用いるセルであると判断された場合、信号生成部１１０は、再接続要求信号（ＲＲＣ  Ｃｏｎｎｅｃｔｉｏｎ  Ｒｅ−ｅｓｔａｂｌｉｓｈｍｅｎｔ）を生成するように構成されている。
【００４６】
また、例えば、再発信手順開始部１１６によって再発信手順が起動されている場合は、信号生成部１１０は、ＮＡＳのサービス要求信号（Ｓｅｒｖｉｃｅ  Ｒｅｑｕｅｓｔ）又は移動管理エリア更新信号（Ｔｒａｃｋｉｎｇ  Ａｒｅａ  Ｕｐｄａｔｅ）の少なくとも一方を生成するように構成されている。
【００４７】
ここで、信号生成部１１０は、生成したＮＡＳ信号の一部として、再発信手順であることを示す識別子を挿入するように構成されていてもよい。
【００４８】
例えば、再発信であることを示す識別子は、信号送信理由（Ｅｓｔａｂｌｉｓｈｍｅｎｔ  Ｃａｕｓｅ）の一部として挿入されるように構成されていてもよいし、再発信識別子として挿入されるように構成されていてもよい。
【００４９】
受信信号判断部１１２は、送受信部１０２によって受信された信号を分析するように構成されている。
【００５０】
受信信号判断部１１２にて、送受信部１０２によって受信された信号（第２無線基地局から受信した再接続要求信号に対する応答信号）が再接続を拒否している信号（ＲＲＣ  Ｃｏｎｎｅｃｔｉｏｎ  Ｒｅ−ｅｓｔａｂｌｉｓｈｍｅｎｔ  Ｒｅｊｅｃｔ）であると判断した場合は、再発信通知部１１４に対して再発信手順が必要であることを通知するように構成されている。
【００５１】
再発信通知部１１４は、無線アクセス方式判断部１０８において、再選択された第２セルが第１セルと異なる無線アクセス方式を用いるセルであると判断された場合は、再発信手順開始部１１６に対して、ＮＡＳの再発信手順を行うように指示するように構成されている。
【００５２】
再発信手順開始部１１６は、再発信通知部１１４からの指示に従い、ＮＡＳの再発信手順を開始するように構成されている。
【００５３】
（本発明の第１の実施形態に係る移動通信システムの動作）
図５を参照して、本発明の第１の実施形態に係る移動局の動作について説明する。
【００５４】
図５に示すように、Ｓｔｅｐ１において、移動局１００は、第１セルを管理する第１無線基地局との間で通信中の無線リンクの検出が成功しているか判断する。
【００５５】
かかる無線リンクの検出に失敗した場合、Ｓｔｅｐ２において、移動局１００は、所定期間中に、セル再選択処理（Ｃｅｌｌ  Ｒｅｓｅｌｅｃｔｉｏｎ）が完了したか否かについて判断する。
【００５６】
かかるセル再選択処理が完了しなかったと判断された場合、Ｓｔｅｐ３において、移動局１００は、待ち受け状態に遷移する。
【００５７】
一方、かかるセル再選択処理が完了したと判断された場合、Ｓｔｅｐ４において、移動局１００は、再選択された第２セルが第１セルと同一の無線アクセス方式を用いているセル（Ｉｎｔｒａ-ＲＡＴセル）であるか否かについて判断する。
【００５８】
Ｉｎｔｒａ-ＲＡＴセルであると判断された場合、Ｓｔｅｐ５において、移動局１００は、かかる第２セルを管理する第２無線基地局に対して再接続要求信号（ＲＲＣ  Ｃｏｎｎｅｃｔｉｏｎ  Ｒｅ-ｅｓｔａｂｌｉｓｈｍｅｎｔ）を送信する。
【００５９】
Ｓｔｅｐ６において、移動局１００は、上述の再接続要求信号に対する無線基地局からの応答信号が、再接続を許可しているか否かについて判断する。
【００６０】
ＳｔｅｐＳ４において、Ｉｎｔｒａ-ＲＡＴセルでない（Ｉｎｔｅｒ-ＲＡＴセルである）と判断された場合、及び、Ｓｔｅｐ６において、再接続を許可していないと判断された場合、Ｓｔｅｐ７において、ＮＡＳの再発信手順が開始される。
【００６１】
一方、Ｓｔｅｐ６において、再接続を許可していると判断された場合、Ｓｔｅｐ８において、移動局１００による通信が続行される。
【００６２】
（本発明の第１の実施形態に係る移動通信システムの作用・効果）
本発明の第１の実施形態に係る移動通信システムによれば、移動局１００が第１セルとの間で通信を行っている場合に、「Ｒａｄｉｏ  Ｌｉｎｋ  Ｆａｉｌｕｒｅ」が検出された後、再選択された第２セルが当該移動局１００に係る設定情報（ＵＥ  Ｃｏｎｔｅｘｔ）を保持していない場合においても、ユーザ自身が手動によって再発信手順を行うことなく、当該移動局１００が自動で再発信手順を行うことを可能とする。
【００６３】
（変更例）
なお、上述の移動局や移動交換局の動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局や移動交換局内に設けられていてもよい。また、かかる記憶媒体及びプロセッサは、ディスクリートコンポーネントとして移動局や移動交換局内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６７】
【図１】本発明の第１の実施形態に係る移動通信システムの全体構成図である。
【図２】本発明の第１の実施形態に係る移動交換局の機能ブロック図である。
【図３】本発明の第１の実施形態に係る移動交換局における移動局管理情報表である。
【図４】本発明の第１の実施形態に係る移動局の機能ブロック図である。
【図５】本発明の第１の実施形態に係る移動局の動作を示すフローチャートである。
【符号の説明】
【００６８】
１、２…移動管理エリア
１００…移動局
１０２…送受信部
１０４…無線リンク監視部
１０６…セル選択部
１０８…無線アクセス方式判断部
１１０…信号生成部
１１２…受信信号判断部
１１４…再発信通知部
１１６…再発信手順開始部
２００…無線基地局
３００…移動交換局
３０２…信号送受信部
３０４…再発信信号判断部
３０６…設定情報更新部
【図１】
0004355749.tif 000002
【図２】
0004355749.tif 000003
【図３】
0004355749.tif 000004
【図４】
0004355749.tif 000005
【図５】
0004355749.tif 000006